(57)【特許請求の範囲】
【請求項１】
第１の複数の電子デバイスおよび第１の接続手段を有する第１の電子回路基板と、
周波数を拡散させたクロック信号を発生する周波数拡散クロック発生手段および第２の接続手段を有する、または、該周波数拡散クロック発生手段，該第２の接続手段および第２の電子デバイスを有する、前記第１の電子回路基板に選択的に装着される第２の電子回路基板と、
を有する電子機器であって、
前記第２の電子回路基板は、前記第１の接続手段と第２の接続手段により前記第１の複数の電子デバイスの一方および他方との間でバス接続され、前記周波数拡散クロック発生手段により発生したクロック信号を前記バスを介して前記第１の電子回路基板に含まれる前記第1の複数の電子デバイスに出力する、電子機器。
【請求項２】
前記第２の電子回路基板が前記周波数拡散クロック発生手段，前記第２の接続手段および前記第２の電子デバイスを有する場合、該周波数拡散クロック発生手段により発生したクロック信号を該第２の電子デバイスにも出力する、請求項１に記載の電子機器。
【請求項３】
前記バスはシリアル転送インターフェースである、請求項１又は２に記載の、電子機器。
【請求項４】
前記第２の電子回路基板上に、前記シリアル転送インターフェースのプロトコル監視用のバスが実装されている；請求項３に記載の、電子機器。
【請求項５】
前記第２の電子回路基板上にプロトコル観測器へのクロック出力ピンがあり；前記周波数拡散クロック発生手段が該クロック出力ピンにクロック信号を供給する；請求項４に記載の、電子機器。
【請求項６】
前記周波数拡散クロック発生手段が供給するクロック信号の、前記第１の電子回路基板の第１の複数の電子デバイスにおける周波数偏差が、±３００ｐｐｍ以内である；請求項１乃至５のいずれか１つに記載の、電子機器。
【請求項７】
前記周波数拡散クロック発生手段の専用電源回路も前記第２の電子回路基板に装備した請求項１乃至５のいずれか１つに記載の、電子機器。
【発明の詳細な説明】
【技術分野】
【０００１】
本発明は、電子機器のプリント回路基板上の電子回路デバイスの配備に関する。
【背景技術】
【０００２】
特許文献１に記載の画像形成装置は、メイン制御ボードに、機能拡張用のオプションボードを追加接続可とし、操作説明書の出力要求があるとメイン制御部が、追加されているオプションボードを検索して、検出したオプションボードの機能の操作説明書を、画像蓄積部から読み出して操作部のディスプレイに表示する。特許文献２に記載の画像形成装置は、モータ駆動によって発生する電磁誘導ノイズを低減するために、レーザプリンタのポリゴンモータ，ドラム駆動モータ，給紙モータおよび定着モータを駆動する基本クロックを、ＳＳＣＧ(Spread Spectrum Clock Generator：周波数拡散クロック発生器)で発生し、周波数拡散による被駆動系相互の干渉を回避するために、同一ＳＳＣ(Spread Spectrum Clock：周波数拡散クロック)を分周したクロックを基に各モータを駆動する。
【０００３】
ところで、プリント配線基板（以下ではＰＣＢ基板という）は、近年益々高密度，高実装，低サイズの要求が高まってきている。そこで、例えば高機能又は追加機能のデバイス（電子回路，電子装置）を別ボードに実装する（オプション化と呼ぶ）ことにより、メインのＰＣＢの実装面積率をさげ、基板の縮小化を図ることが行われている。従来の低速度（例えばＰＣＩ、ＵＡＲＴなど）のバスにおいては、プリント配線のレイアウトに与える、バスの制約，クロックの制約条件がそれほど厳しくないため、容易にオプション基板として、拡張することができた。ここでいう制約とは、ＰＣＢ基板の表層や、内部層に導体を這いまわすことに対しての基準である。ところが、ＰＣＩ−ＥＸＰＲＥＳＳなどの高速シリアルインターフェースにおいては、レイアウト上の制約が、従来のバスと比較して、厳しいため、従来どおりのやり方を行うと、上記制約から、メイン基板のレイアウト面積を大きく使ってしまうという課題がある。
【０００４】
図６に、ＰＣＢ基板に実装されるデバイス間の接続を示す。一般的に、デバイスＡ，Ｂ間で通信を行う場合、それらを結ぶバス５１ｐと、クロックが必要になる。これを図６の（ａ）に示す。また、場合によっては（デバイスや、バスの条件によっては）、図６の（ｂ）のように接続してもかまわない。しかし、高速シリアルインターフェース、例えばＰＣＩ−ＥＸＰＲＥＳＳ、の場合は、ＳＳＣ(Spread Spectrum Clock)というＥＭＩ（Electro Magnetic Induction：電磁誘導）ノイズを低減するための周波数拡散クロックを使用するためには、ＳＳＣＧ  ４０ｐとＡデバイス２０ｐ間，Ｂデバイス３０ｐ間のクロックの周波数偏差が±３００ｐｐｍ以内という制約があることから、同一ＳＳＣＧ内の同一ＰＬＬ(Phase Locked Loop)を使用することが一般的であり、接続図は図６となる。なお、ｐｐｍは、基本周波数の１００万分の１を意味する。基本周波数は例えば１００ＭＨｚであるが、それ以外でもよい。
【０００５】
ところで、Ａデバイス２０ｐとＢデバイス３０ｐ間にさらにＣデバイスといったデバイスを追加したい場合、Ａ，Ｂデバイスが実装されているメイン基板は、昨今の高実装化要求により、一般的にスペースがないことがあるため、例えば、オプション基板にＣデバイスを実装して、コネクタを通じて接続するという方法がしばしば使われている。これを、図７と図８に示す。
【０００６】
図７において、Ｃデバイスの機能を追加したい場合は、Ｃデバイスボード６０ｐを実装する。Ｃデバイスの機能を必要としないときは、コネクタ間をバスのみで接続したスルーボード５０ｐを実装することにより、Ａ，Ｂデバイス間をバス接続する（図８の（ａ））。メイン基板１０ｐの面積をとることなく、Ｃデバイス機能を追加できる。参考として、図８の（ａ）には、スルーボード５０ｐをメイン基板１０ｐに実装した接続図を示し、図８の（ｂ）には、スルーボード５０ｐに代えてＣデバイスボード（オプションボード）６０ｐを、メイン基板１０ｐに実装した接続図を示す。
【０００７】
ところで、クロックや、バスなどの信号線は、図９の（ａ）に示すように基板上にレイアウトされており、基本は表層にレイアウトされるわけであるが、レイアウトするスペースがないときは、図９の（ｂ）に示すように、表層以外の内層にレイアウトされることになる。例えば、他の信号がなければ、Ｃａｓｅ１のように、表層のみでレイアウトすることが可能であるが、他の信号線も、その位置にレイアウトしなければならない場合は、どちらかの信号を、Ｃａｓｅ２〜４のように、他層へレイアウトしなければならない。例えば、他層へレイアウトする場合は、上下表層間を貫通させる、ＶＩＡとよばれる、貫通スルーホールに導体を埋めることにより、通すことが一般的である。
【０００８】
ところが、通常の低速の信号線の場合は、低速であるがゆえに、信号劣化などの影響を受けても影響が小さいため、Ｃａｓｅ１〜Ｃａｓｅ４のどの接続方法でも良い（内層にレイアウトしても良いということも含む）が、高速シリアル転送インターフェースであるＰＣＩ−ＥＸＰＲＥＳＳの場合は、高速伝送路であり、上述のＶＩＡ数に制限がある。ＶＩＡを設けるだけ、信号品質が低下するため、Ｃａｓｅ１のようにできるだけ、表層のみでレイアウトすることが望ましい。
【先行技術文献】
【特許文献】
【０００９】
【特許文献１】特開２００５−  ７７８１号公報
【特許文献２】特開２００５−８８２８７号公報
【発明の概要】
【発明が解決しようとする課題】
【００１０】
以上を考慮すると、図７のように、クロックＡ，Ｂ，Ｃ１，Ｃ２となる４本の、上記制約つき、クロックをレイアウトしなければならず、制約を守ると大幅にスペースが必要になり、また、場合によってはレイアウトできない可能性がある。これは、昨今の高密度化に逆行することにつながる。
【００１１】
本発明は、周波数拡散クロックを使用するオプションボードも、メイン基板のレイアウト面積をとらずメイン基板に装着可とすることを目的とする。
【課題を解決するための手段】
【００１２】
本発明では、メイン基板でなくオプション基板に、周波数拡散クロック発生手段を実装することで、上記目的を達成する。
【００１３】
具体的には、本発明の電子機器は、
（１）第１の複数の電子デバイス(20,30)および第１の接続手段(22,32)を有する第１の電子回路基板(10)と、
周波数を拡散させたクロック信号を発生する周波数拡散クロック発生手段(40t)および第２の接続手段(52,53)を有する、または、該周波数拡散クロック発生手段(40d)，該第２の接続手段および第２の電子デバイス(70)を有する、前記第１の電子回路基板に選択的に装着される第２の電子回路基板(50/60)と、
を有する電子機器であって、
前記第２の電子回路基板(50/60)は、前記第１の接続手段(22,32)と第２の接続手段(62,63)により前記第１の複数の電子デバイス(20,30)の一方および他方との間でバス接続され、前記周波数拡散クロック発生手段により発生したクロック信号を前記バスを介して前記第１の電子回路基板(10)に含まれる前記第1の複数の電子デバイス(20,30)に出力する、電子機器。
【００１４】
なお、括弧内には、図面に示し後述する実施例の対応要素又は相当要素に付した記号を、例示として参考までに付記した。以下も同様である。
【発明の効果】
【００１５】
例えば、メイン基板なるマザーボード上に周波数拡散クロック発生手段(SSCG)を実装し、そこから、オプション基板なるアドインカードに、クロック信号を供給することが規格上謡われている（例えば図８）。しかし、本発明のように、メイン基板に対応する第１の電子回路基板(10)ではなく、オプション基板に対応する第２の電子回路基板(50,60)側に、周波数拡散クロック発生手段(40d/40t)を実装することにより（例えば図２）、第１の電子回路基板（メイン基板）上へのクロックレイアウト数を削減でき、さらに周波数拡散クロック発生手段を第２の電子回路基板（オプション基板）側へ移管することにより、第１の電子回路基板上に広いスペースを確保できる。あるオプションデバイスの機能が必要な場合に該デバイスを装備する第２の電子回路基板を第１の電子回路基板に上記バス接続することにより、必要なときにオプションデバイスの機能を付加できる。
【００１６】
（２）前記第２の電子回路基板(60)が前記周波数拡散クロック発生手段(40d)，前記第２の接続手段(62,63)および前記第２の電子デバイス(70)を有する場合、該周波数拡散クロック発生手段(40d)により発生したクロック信号を該第２の電子デバイス(70)にも出力する、上記（１）の電子機器。
【００１７】
（３）前記バスは、シリアル転送インターフェースである、上記（１）または（２）の、電子機器。例えば、高速シリアル転送インターフェースであるＰＣＩ−ＥＸＰＲＥＳＳ、を用いる。
【００１８】
（４）前記第２の電子回路基板上に、前記シリアル転送インターフェースのプロトコル監視用のバスが実装されている；上記（３）の、電子機器。
【００１９】
デバッグ時に高速シリアル転送インターフェースのプロトコルを見るために、ＭＩＤ−ＢＵＳというレイアウトパターンがあり、これを従来は、第１の電子回路基板が対応するメイン基板に実装している。また、デバック用のクロックとして、計測器用クロック信号をメイン基板上にだしている（図１０）。しかし本実施形態（４）では、これら、ＭＩＤ−ＢＵＳと、計測器用クロックをオプションボードに対応する第２の電子回路基板上に実装した（図３）。これにより、メイン基板上により広いスペースを確保することができる。
【００２０】
（５）前記第２の電子回路基板上にプロトコル観測器へのクロック出力ピンがあり；前記周波数拡散クロック発生手段が該クロック出力ピンにクロックを供給する；上記（４）の、電子機器。
【００２１】
（６）前記周波数拡散クロック発生手段が供給するクロック信号の、第１の電子回路基板の第１の電子デバイスにおける周波数偏差が、±３００ｐｐｍ以内である；上記（１）乃至（５）のいずれか１つに記載の、電子機器。
【００２２】
（７）前記周波数拡散クロック発生手段の専用電源回路(64：図３）も第２の電子回路基板に装備した上記（１）乃至（５）のいずれか１つに記載の、電子機器。これによっても、メイン基板に対応する第１の電子回路基板上により広いスペースを確保することができる。
【図面の簡単な説明】
【００２３】
【図１】本発明の第１実施形態の、第１の電子回路基板であるメイン基板１０、ならびに、それぞれが第２の電子回路基板である第１オプション基板５０および第２オプション基板６０の、構成の概要を示すブロック図である。
【図２】（ａ）は、図１に示すメイン基板１０に第１オプション基板５０を装着した電子機器の概要を示すブロック図であり、（ｂ）は、メイン基板１０に第２オプション基板６０を装着した電子機器の概要を示すブロック図である。
【図３】本発明の第２実施形態の第２オプション基板６０の、構成の概要を示すブロック図である。
【図４】（ａ）は、本発明の第１実施例の第１形態の電子機器の概要を示すブロック図であり、（ｂ）は第２形態の電子機器の概要を示すブロック図である。
【図５】（ａ）は、本発明の第２実施例の第１形態の電子機器の概要を示すブロック図であり、（ｂ）は第２形態の電子機器の概要を示すブロック図である。
【図６】（ａ）は、従来の電子機器の一例の構成概要を示すブロック図であり、（ｂ）はもう一つの例を示す。
【図７】従来の、機能拡張ができる電子機器の一例の構成概要を示すブロック図である。
【図８】（ａ）は、図７に示すメイン基板１０ｐにスルーボード５０ｐを装着した電子機器の構成概要を示すブロック図であり、（ｂ）は、メイン基板１０ｐにデバイスボード６０ｐを装着した電子機器の構成概要を示すブロック図である。
【図９】従来のメイン基板の拡大横断面図であり、（ａ）は信号線をデバイス装着側の面にレイアウトした、比較的に配線数が少ない場合を示し、（ｂ）は信号線をデバイス装着面とは反対側の面にレイアウトした、比較的に配線数が多い場合を示す。
【図１０】従来の電子機器のもう一つの例の構成概要を示すブロック図である。
【発明を実施するための形態】
【００２４】
本発明の他の目的および特徴は、図面を参照した以下の説明より明らかになろう。
【００２５】
−実施形態１−
図１に、本発明の第１実施形態の、第１の電子回路基板であるメイン基板１０、ならびに、それぞれが第２の電子回路基板である第１オプション基板５０および第２オプション基板６０（オプション）の電子回路配置を示す。メイン基板１０は、複数のメイン電子回路デバイス２０，３０，オプション基板を装着し各メイン電子回路デバイス２０，３０に電気接続するための複数のメイン側コネクタ２２，３２、および、各メイン側コネクタ２２，３２を各メイン電子回路デバイス２０，３０に接続するメイン側高速シリアル転送インターフェース２１，３１、を装備している。
【００２６】
第１オプション基板５０は、メイン側コネクタ２２，３２に接続するための複数のオプション側コネクタ５２，５３，該オプション側コネクタ間を接続するオプション側高速シリアル転送インターフェース５１、および、前記メイン側およびオプション側高速シリアル転送インターフェース２１，３１，５１にクロックを与えるためのＳＳＣＧ ４０ｔ、を装備したスルーボードである。
【００２７】
第２オプション基板６０は、オプション電子回路デバイス７０，前記メイン側コネクタに接続するための複数のオプション側コネクタ６２，６３，各オプション側コネクタをオプション電子回路デバイスに接続するオプション側高速シリアル転送インターフェース７１，７２、および、前記メイン側およびオプション側高速シリアル転送インターフェース２１，３１，７１，７２にクロックを与えるためのＳＳＣＧ ４０ｄ、を装備した、機能拡張用の、オプションデバイスボードである。
【００２８】
第１，第２オプション基板５０，６０を、選択的にメイン基板１０に装着でき、取替えができる。すなわち、オプションを選択し得る電子機器の、基本（最低）機能のみを備える態様では、第１オプション基板５０のコネクタ５２，５３をメイン基板１０のコネクタ２２，３２にコネクタ接続することにより、図２の（ａ）に示すように、メイン基板１０に第１オプション基板５０を装着する。この装着により、第１オプション基板５０上のＳＳＣＧ ４０ｔが、ＳＳＣであるクロックＡ，Ｂを、コネクタ５２，５３を通して各メイン電子回路デバイス２０，３０の、バス２１，３１が接続した高速シリアル転送インターフェースに、与える。メイン電子回路デバイス２０と３０は、バス２１，コネクタ２２，５２，バス５１，コネクタ５３，３２およびバス３１で接続されている。
【００２９】
オプションを選択し得る電子機器の、オプション拡張機能を備える機能拡張態様では、第２オプション基板６０のコネクタ６２，６３をメイン基板１０のコネクタ２２，３２にコネクタ接続することにより、図２の（ｂ）に示すように、メイン基板１０に第２オプション基板６０を装着する。この装着により、第２オプション基板６０上のＳＳＣＧ ４０ｄが、ＳＳＣであるクロックＡ，Ｂを、コネクタ６２，６３を通して各メイン電子回路デバイス２０，３０の、バス２１，３１が接続した高速シリアル転送インターフェースに、与える。第２オプション基板６０上のＣデバイス７０には、該基板６０上においてＳＳＣＧ ４０ｄが、ＳＳＣであるクロックＣ１，Ｃ２を与える。メイン電子回路デバイス２０と拡張機能デバイス７０は、バス２１，コネクタ２２，６２およびバス７１で接続され、拡張機能デバイス７０とメイン電子回路デバイス３０は、バス７２，コネクタ６３，３２およびバス３１で接続されている。
【００３０】
本実施形態の高速シリアル転送インターフェース（２１，３１，５１，７１，７２）はすべて、ＰＣＩ−ＥＸＰＲＥＳＳであり、しかもＳＳＣＧ ４０ｔ，４０ｄはそれぞれ、基準クロック発生器，スペクトラム拡散器およびＰＬＬ（Phase Locked Loop）ならびに必要に応じて分周器を備えるものであり、基準クロック発生器が発生する基準クロックをスペクトラム拡散器で周波数拡散をした、基本周波数が１００ＭＨｚのＳＳＣを、クロックＡ，Ｂ，Ｃ１，Ｃ２として出力する。ＳＳＣＧ ４０ｔ，４０ｄが供給するクロックＡ，Ｂ，Ｃ１，Ｃ２の、各電子回路デバイス２０，３０，７０における周波数偏差は、ＰＣＩ−ＥＸＰＲＥＳＳの規格にしたがって、±３００ｐｐｍ以内としている。
【００３１】
なお、ＳＳＣＧ内に周波数拡散をした基本クロックを分周する分周器を備えて、異なった周波数のＳＳＣを一部のデバイスに与えることが出来る。また、ＳＳＣＧ内に複数のＰＬＬを備えて、スペクトラム拡散器で周波数拡散をしたクロックを複数のＰＬＬに与えて各ＰＬＬが出力するパルスを選択的に各デバイスに与えることも出来る。
【００３２】
−実施形態２−
図３に、第２オプション基板６０ａの変形例を示す。これは、機能拡張オプションボード６０ａのＰＣＩ−ＥＸＰＲＥＳＳのバスを、ＰＣＩ−ＥＸＰＲＥＳＳのプロトコル監視用のバス（ＭＩＤ−ＢＵＳ）を含むバス７１ａ，７２ａとし、該オプションボード６０ａには、プロトコル観測器へのクロック出力ピンを設けて、Ｍｉｄｂｕｓプルーブ（計測器接続具）を着脱可とし、また、ＳＳＣＧ用の専用電源回路６４も、オプションボード６０ａに装備したものである。なお、この実施態様で用いられるスルーボード（５０相当のもの）にも、ＳＳＣＧ用の専用電源回路を備えている。その他の構成および機能は、実施態様１と同様である。
【実施例】
【００３３】
−実施例１−
図４には、上記実施形態１を、画像読み取り配信機能および複写機能を拡張機能とする印刷装置に適用した、第１実施例を示す。メイン基板１０ｂ上のＡデバイス２０ａは、通信インターフェース２を介してパソコン或いは他の端末装置（図示略）と通信して、パソコン或いは他の端末装置（ファクシミリなど）が与える印刷コマンドに応答して、印刷情報をイメージ画像データに変換して、Ｂデバイス３０ａである画像データ処理ＡＳＩＣに出力する印刷処理機能、があるシステムコントローラ２０ａである。
【００３４】
なお、以下においては、パソコンあるいは他の端末装置を総称して、「パソコン等」と表現する。
【００３５】
このシステムコントローラ２０ａは、後述するスキャナ４が出力する原稿読み取りの画像データをパソコン等に送出する画像読み取り配信機能もあるものである。しかし、図４の（ａ）に示すように、メイン基板１０ｂに、第１オプション基板であるスルーボード５０が接続されているときには、これを認識して、複写機能および画像読み取り配信機能は不実行とし、操作ボード１を印刷機能のみを対象とする入出力モードに設定する。したがってユーザは、操作ボード１から複写および画像読み取りの指示をすることは出来ない。またシステムコントローラ２０ａは、パソコン等からの原稿画像読み取り指示には応答しない。
【００３６】
画像データ処理ＡＳＩＣ ３０ａには、システムコントローラ２０ａがパソコン等のドキュメント（書画情報）をイメージに変換したイメージデータを、プリンタ３の作像に適する印刷用画像データに変換する印刷処理機能に加えて、後述のスキャナ４が生成する読み取り画像データをプリンタ３の作像に適する印刷用画像データに変換する複写処理機能があるが、図４の（ａ）に示すように、メイン基板１０ｂにスルーボード５０が接続されているときには、システムコントローラ２０ａが、印刷処理機能のみを指定する印刷指示のみを画像データ処理ＡＳＩＣ ３０ａに与える。
【００３７】
しかし、図４の（ｂ）に示すように、メイン基板１０ｂに、Ｃデバイス７０としてスキャナＡＳＩＣを装備した、第２オプション基板であるオプションボード６０を装着した場合には、システムコントローラ２０ａは、スキャナＡＳＩＣボード６０を認識すると、操作ボード１を、印刷機能，画像読み取り配信機能および複写機能を対象とする入出力モードに設定する。またシステムコントローラ２０ａは、パソコン等からの原稿画像読み取り指示に応答する。
【００３８】
ユーザが操作ボード１で複写モードを指定し、スキャナ４に原稿をセットし複写条件を指定してスタートキーを操作すると、スキャナ４が原稿の画像を読み取って画像データをスキャナＡＳＩＣ ７０に送出する。スキャナＡＳＩＣ ７０は、画像データに読み取り歪補正を加え像域分離などを適用して、不正コピーかどうかの識別をして、不正コピーとならないときには、画像データを画像データ処理ＡＳＩＣ ３０ａに送出する。画像データ処理ＡＳＩＣ ３０ａは、読み取り画像データを、プリンタ３の作像特性に合った印刷用画像データに変換してプリンタ３に出力する。ユーザが操作ボード１又はパソコン等から、画像読み取り配信機能を指定し、スキャナ４に原稿をセットし配信先を指定してスタートキーを操作すると、スキャナ４が原稿の画像を読み取り、画像データに読み取り歪補正を加え像域分離などを適用して、不正読み取りかどうかの識別をして、不正読み取りとならないときには、システムコントローラ２０ａ（および通信インターフェース２）を介してパソコン等又は指定配信先に送信する。パソコン等からの書画（ドキュメント）をプリンタ３で印刷する印刷機能では、スキャナＡＳＩＣ ７０は、システムコントローラ２０ａが生成したイメージデータを、画像データ処理ＡＳＩＣ ３０ａに出力する。
【００３９】
スキャナＡＳＩＣ ７０には、パソコン等に対して入出力する画像データに対する画像処理機能もあり、画像読み取り配信の場合には、スキャナ４が生成する読み取り画像データをＪＰＥＧのＲＧＢ変換画像データに変換してシステムコントローラ２０ａに出力する。画像読み取り配信の場合に、システムコントローラ２０ａが、プリンタやファクシミリに出力する記録色ＹＭＣＫの画像データを指定していると、スキャナＡＳＩＣ ７０は、スキャナ４が生成する読み取り画像データを画像データ処理ＡＳＩＣ ３０ａでＹＭＣＫの画像データに変換してから、システムコントローラ２０ａに出力する。
−実施例２−
図５には、前述の実施形態１を、読み取り画像蓄積機能を拡張機能とする画像読み取り装置に適用した第２実施例を示す。メイン基板１０ｂ上のＡデバイス２０ａは、通信インターフェース２を介してパソコン等（図示略）と通信して、パソコン等が与える画像読み取り指示に応答して、スキャナ４により画像読み取りを行い、画像データを該パソコン等又は指定配信先に送信する画像読み取り配信機能、があるシステムコントローラ２０ａである。このシステムコントローラ２０ａは、後述するＨＤＤ（Hard Disk Driver）およびその他の大容量メモリに、スキャナで読み取った画像（画像データ）や、パソコン等が与える画像を蓄積する画像蓄積機能、ならびに、パソコン等に対して入出力する画像データに対する画像処理機能、もあるものである。
【００４０】
しかし、図５の（ａ）に示すように、メイン基板１０ｃに、第１オプション基板であるスルーボード５０が接続されているときには、システムコントローラ２０ａは、これを認識して、画像蓄積機能および画像処理機能は不実行とし、操作ボード１を画像読み取り配信機能のみを対象とする入出力モードに設定する。したがってユーザは、操作ボード１から、画像蓄積や画像処理を指示することは出来ない。またシステムコントローラ２０ａは、パソコン等からの画像蓄積指示や画像処理指示には応答しない。
【００４１】
スキャナＡＳＩＣ ３０ｂは、スキャナ４が原稿上の画像を読み取って生成する画像データに読み取り歪補正を加え像域分離などを適用して、不正コピーかどうかの識別をして、不正コピーとならないときには、画像データを出力する。図５の（ａ）に示すように、メイン基板１０ｃにスルーボード５０が接続されているときには、スキャナＡＳＩＣ ３０ｂが出力する画像データは、スルーボード５０を通してシステムコントローラ２０ｂに転送され、該コントローラ２０ｂが、通信インターフェース２を介してパソコン等に送出する。
【００４２】
図５の（ｂ）に示すように、メイン基板１０ｂに、Ｃデバイス７０としてメモリ制御ＡＳＩＣを装備した、第２オプション基板であるオプションボード６０ｂを装着した場合には、システムコントローラ２０ａは、メモリ制御＆画像処理ＡＳＩＣボード６０ｂを認識すると、操作ボード１を、画像読み取り配信機能，画像蓄積機能および画像処理を対象とする入出力モードに設定する。またシステムコントローラ２０ａは、パソコン等からの原稿画像読み取り，画像蓄積，画像処理の指示に応答する。
【００４３】
ユーザが操作ボード１又はパソコン等で画像読み取り配信を指定し、必要に応じて配信先および画像処理モードを入力してスタートキーを操作すると、スキャナ４が原稿の画像を読み取って画像データをスキャナＡＳＩＣ ３０ｂに送出する。スキャナＡＳＩＣ ３０ｂは、画像データに読み取り歪補正を加え像域分離などを適用して、不正読み取りかどうかの識別をして、不正読み取りとならないときには、画像データをメモリ制御＆画像処理ＡＳＩＣ ７０に送出する。メモリ制御＆画像処理ＡＳＩＣ ７０は、その内部又は外部（例えばＨＤＤ５）のメモリに一時蓄積してから、画像処理の中の、ＪＰＥＧへの変換指示があった場合には、スキャナ読み取りの画像データをＪＰＥＧに変換して、システムコントローラ２０ｂに送出する。システムコントローラ２０ｂは読み取り指示を与えたパソコン等又は配信先指定があると該配信先に、画像データを送信する。
【００４４】
画像蓄積が指定されていた場合には、上記画像読み取り配信の場合と同様に、読み取った画像を一時蓄積してから、画像処理の指定があると、対応の画像処理（例えばＪＰＥＧ変換）をして、読み取り指示を与えたパソコン等又は配信先指定があると該配信先に画像データを送信するとともに、該画像処理をしたデータを、ＨＤＤ５等の、メモリ制御＆画像処理ＡＳＩＣ ７０に接続された大容量メモリに登録する。そしてその後、操作ボード１又はパソコン等から、システムコントローラ２０ｂに、該大容量メモリに登録した画像に対する正当な（アクセス権限がある）転送指示があると、メモリ制御＆画像処理ＡＳＩＣ ７０を介して、前記大容量メモリの指定された画像（画像データ）を読み出して、転送指示を与えたパソコン等又は配信先指定があると該配信先に、送信する。またシステムコントローラ２０ｂは、通信インターフェース２を介して、パソコン等が送り込んでくる画像を、大容量メモリに登録する。画像処理指定があると、大容量メモリに対する画像の登録時或いは読み出し時に、指定があった画像処理を施してから、登録又は転送する。
【００４５】
上記画像処理機能のなかには、画像データのデータ種類の変換，画像メモリに対する画像データの書込み，読み出しを利用する画像の変倍，回転，編集（トリミング，マスキング，シフト等），画調の調整などがある。該データ種類の変換には、スキャナ４が生成する読み取り画像データの、ＪＰＥＧのＲＧＢデータへの変換，読み取り画像およびＪＰＥＧデータの、印刷用あるいはファクシミリ送信用の、記録色ＹＭＣＫデータへの変換，その逆の、ＪＰＥＧによるＹＭＣＫデータのＲＧＢデータへの変換などが含まれている。画調の調整には、明るさ，コントラスト，色調および色変換が含まれている。ユーザは、これらの画像処理を、操作ボード１あるいはパソコン等で指定でき、画像処理のパラメータを操作できる。
【符号の説明】
【００４６】
２１，３１，５１，７１，７２：高速シリアル転送インターフェースである
ＰＣＩ−ＥＸＰＲＥＳＳのバス
２１ｐａ，３１ｐａ，７１ａ，７２ａ：ＭＩＤ−ＢＵＳを含む
ＰＣＩ−ＥＸＰＲＥＳＳのバス
【図１】
0005257860.tif 000002
【図２】
0005257860.tif 000003
【図３】
0005257860.tif 000004
【図４】
0005257860.tif 000005
【図５】
0005257860.tif 000006
【図６】
0005257860.tif 000007
【図７】
0005257860.tif 000008
【図８】
0005257860.tif 000009
【図９】
0005257860.tif 000010
【図１０】
0005257860.tif 000011